(57)【要約】      （修正有）【課題】接着剤なしで、簡単かつ迅速に形成できる防水性に優れた地中連続壁の防水構造を提供する。【解決手段】地面に形成された穴の一側面が地中連続壁１の立面２となり、立面には、互いに離間し、かつ上下に延びる複数の長尺の芯材３が現れている地中連続壁の防水構造１０であって、芯材に接続され、立面に沿って水平方向に延びる少なくとも１つの長尺の支持材１５ａと、支持材によって仕切られた立面を覆い、さらに支持材と重なる少なくとも２枚以上の止水フィルム１６ａとを備え、止水フィルムが、粘着性材料層と立面に対向する疎水性材料層とからなり、支持材の長手方向に直交する断面が、立面に平行する平坦部と、平坦部の中央にて立面と反対方向に延びる突起部とからなる略Ｔ字状を呈し、略コ字形状を有する係止部材２０ａが支持材の突起部に嵌合され、止水フィルムが、係止部材によって支持材に押し付けられる。【選択図】図２
0003153580.tif 000002
【実用新案登録請求の範囲】
【請求項１】
地面に形成された穴の一側面が地中連続壁の立面となり、該立面には、互いに離間し、かつ上下に延びる複数の長尺の芯材が現れている地中連続壁の防水構造であって、
該芯材に接続され、前記立面に沿って水平方向に延びる少なくとも１つの長尺の支持材と、
該支持材によって仕切られた前記立面を覆い、さらに前記支持材と重なる少なくとも２枚以上の止水フィルムとを備え、
前記止水フィルムが、粘着性材料層と前記立面に対向する疎水性材料層とからなり、
前記支持材の長手方向に直交する断面が、前記立面に平行する平坦部と、該平坦部の中央にて該立面と反対方向に延びる突起部とからなる略Ｔ字状を呈し、
略コ字形状を有する係止部材が前記支持材の突起部に嵌合され、
前記止水フィルムが、前記係止部材によって前記支持材に押し付けられることを特徴とする地中連続壁の防水構造。
【請求項２】
前記粘着性材料が非加硫ブチルゴムであり、前記疎水性材料がポリプロピレンであることを特徴とする請求項１記載の地中連続壁の防水構造。
【請求項３】
前記止水フィルムの少なくとも一端が、前記粘着性材料層が前記疎水性材料層の両面を覆うように折り返されてなることを特徴とする請求項１または２記載の地中連続壁の防水構造。
【請求項４】
前記止水フィルムが、前記支持材に沿って延びる長尺部材を介して前記支持材に押し付けられることを特徴とする請求項１、２または３記載の地中連続壁の防水構造。
【請求項５】
前記突起部の前記係止部材と当接する面が波状に形成されてなることを特徴とする請求項１〜４のいずれか１項に記載の地中連続壁の防水構造。
【請求項６】
前記突起部と前記係止部材との嵌合部が波状に形成されてなることを特徴とする請求項１〜４のいずれか１項に記載の地中連続壁の防水構造。
【請求項７】
前記地中連続壁の底部に形成された底盤の上面に、一方の開口部が前記地中連続壁側に設けられ、他方の開口部が前記立面から離れて立設された型枠の該立面との対向面の反対側に設けられた水抜きパイプをさらに備えることを特徴とする請求項１〜６のいずれか１項に記載の地中連続壁の防水構造。
【請求項８】
地面に形成された穴の一側面が地中連続壁の立面となり、該立面には、互いに離間し、かつ上下に延びる複数の長尺の芯材が現れている地中連続壁の防水構造であって、
該芯材に接続され、前記立面に沿って水平方向に延びる少なくとも１つの長尺の支持材と、
該支持材によって仕切られた前記立面を覆い、さらに前記支持材と重なる少なくとも２枚以上の止水フィルムとを備え、
前記止水フィルムが、非加硫ブチルゴムからなる粘着性材料層と前記立面に対向するポリプロピレンからなる疎水性材料層とからなり、
前記支持材の長手方向に直交する断面が、前記立面に平行する平坦部と、該平坦部の中央にて該立面と反対方向に延びる突起部とからなる略Ｔ字状を呈し、
略コ字形状を有する係止部材が前記支持材の突起部に嵌合され、
前記止水フィルムが、前記支持材に沿って延びる長尺部材を介して前記係止部材によって前記支持材に押し付けられ、
前記止水フィルムの少なくとも一端が、前記粘着性材料層が前記疎水性材料層の両面を覆うように折り返され、
前記突起部の前記係止部材と当接する面が波状に形成され、
前記地中連続壁の底部に形成された底盤の上面に、一方の開口部が前記地中連続壁側に設けられ、他方の開口部が前記立面から離れて立設された型枠の該立面との対向面の反対側に設けられた水抜きパイプをさらに備えてなる地中連続壁の防水構造。
【考案の詳細な説明】
【技術分野】
【０００１】
本考案は地中連続壁の防水構造に関する。さらに詳細には、地下構造物のコンクリート外壁面を構築するために形成される地中連続壁の防水構造に関する。
【背景技術】
【０００２】
地中連続壁とは、掘削により地面に穴を設け、その穴にて元あった土とセメントスラリーとを混合・攪拌することによりソイルセメント単位を形成し、これを隣接する間隔で連続的に行うことによって地中に形成される壁体のことをいう。地下構造物を構築する場合には、まず地中連続壁を形成し、これによってコンクリート外壁面を形成するという工法が行われている。
【０００３】
図５の（ａ）〜（ｃ）は地中連続壁を用いた地下構造物の構築方法を説明するための模式断面図である。図５に示されるように、この工法を簡単に説明すると以下のとおりである。（１）まず、混練削孔機により地面Ｇを掘削し、そこにセメントスラリーを加え、攪拌することによってソイルセメント単位を形成する。（２）前記（１）の工程を隣接する間隔で連続的に繰り返すことによって地中連続壁１００を形成する。（３）形成された地中連続壁１００に芯材１０１となる長尺のＨ型鋼材を鉛直に差し込む。すると、図５の（ａ）に示す状態になる。
【０００４】
（４）次に、地中連続壁１００に接する地面Ｇを掘削して地下構造物を構築するためのコンクリート打設部（穴）１０２を形成する。このとき、掘削は地中連続壁１００内の芯材１０１の一側面が露出するまで行い、地中連続壁１００の立面がコンクリート打設部（穴）１０２の側壁となる。（５）地中連続壁１００の立面の全面に、地中連続壁１００から染み出してくる水がコンクリート打設部（穴）１０２内に浸入してくることを防止するための防水シート１０６を取り付ける。すると図５の（ｂ）に示す状態になる。（６）コンクリート打設部（穴）１０２の底面に耐圧盤となる底盤１１０を形成し、底盤１１０上に、型枠１１１を立設する。型枠１１１は底盤１１０上に設置された支持部材１１５ａ、１１５ｂに支持されて起立する。この状態を示したのが図５の（ｃ）である。これら地中連続壁１００、底盤１１０および型枠１１１に囲まれた部分にコンクリートを打設し、地下構造物の外壁を構築する。
【０００５】
しかし、上記のような支持部材１１５ａ、１１５ｂによって型枠１１１を支持する方法では、支持力に限りがあるため、型枠１１１を１．５ｍ程度の高さにしかすることができず、施工効率が良くない。そこで、型枠１１１をより高く立設する下記のような方法が採用されている。
【０００６】
図６の（ａ）と（ｂ）は従来の地中連続壁の防水工法を説明するための模式断面図である。この工法においては、先に説明した地下構造物の構築方法と前記（４）工程までは基本的に同じであるため、説明は繰り返さず、（５）工程から説明する。（５）この工法では立面にいきなり防水シート１０６を取り付けることはせず、まず、芯材１０１の一側面が露出した立面に、立面に沿って水平方向に延びる長尺のＬ字鋼材を支持材１０５ａ、１０５ｂとして取り付ける。支持材１０５ａ、１０５ｂは、コンクリート打設部（穴）１０２内に立設される型枠１１１を支持するためのもので、互いに平行に取り付けられる。（６）地中連続壁１００の支持材１０５ａ、１０５ｂによって仕切られた立面の各々の全面に、防水シート１０６ａ、１０６ｂ、１０６ｃを取り付ける。すると図６の（ａ）に示す状態になる。（７）コンクリート打設部（穴）１０２の底面に耐圧盤となる底盤１１０を形成し、底盤１１０上に、型枠１１１を立設する。地中連続壁１００の立面と型枠１１１とは、一方の端部が地中連続壁１００の立面に設けられた支持材１０５ａ、１０５ｂに固定され、他方の端部が型枠１１１に固定されたセパレータ１１２ａ、１１２ｂによって一定間隔に保たれ、これによって型枠１１１は立設される。この状態を示したのが図６の（ｂ）である。これら地中連続壁１００、底盤１１０および型枠１１１に囲まれた部分にコンクリートを打設し、地下構造物の外壁を構築する。
【０００７】
図７は従来の地中連続壁の防水構造を示した断面図であって、図６の（ｂ）をより詳しく説明したものである。図７に示されるように、支持材１０５ａ、１０５ｂによって仕切られた地中連続壁１００の立面１２０には防水シート１０６ａ、１０６ｂ、１０６ｃがそれぞれ被覆されている。防水シート１０６ａ、１０６ｂ、１０６ｃはポリプロピレンからなり、それ自体では接着性を有しないため、接着剤１３０を介して立面１２０に密着している。接着剤１３０は、スプレーなどによって立面１２０と防水シート１０６ａ、１０６ｂ、１０６ｃとの接合箇所に塗布されたものである。この防水構造によって、地中連続壁１００から染み出してくる水は防水シート１０６ａ、１０６ｂ、１０６ｃによって遮られ、コンクリート打設部（穴）内への浸入が防止されるのである。
【考案の概要】
【考案が解決しようとする課題】
【０００８】
しかし、上記のような従来の防水構造は、防水シートを地中連続壁の立面に密着させるために接着剤を多量に塗布する必要があり、接着剤の塗布作業に手間がかかるうえ、コスト負担も大きい。また、防水シートと立面との接着が充分でない場合、水が漏出し、その後に打設されるコンクリート外壁に水が浸入してしまう。特に、型枠を高く立設するために地中連続壁の立面に一定間隔で支持材を設ける工法においては、支持材と防水シートとの間から水漏れしやすいという問題がある。
【０００９】
本考案は、上記従来の問題に鑑みてなされたものであり、型枠を高く立設することができる施工効率に優れた構造であって、接着剤を使用することなく、簡単かつ迅速に形成することができる防水性に優れた地中連続壁の防水構造を提供することを目的とする。
【課題を解決するための手段】
【００１０】
本考案の地中連続壁の防水構造は、地面に形成された穴の一側面が地中連続壁の立面となり、該立面には、互いに離間し、かつ上下に延びる複数の長尺の芯材が現れている地中連続壁の防水構造であって、該芯材に接続され、前記立面に沿って水平方向に延びる少なくとも１つの長尺の支持材と、該支持材によって仕切られた前記立面を覆い、さらに前記支持材と重なる少なくとも２枚以上の止水フィルムとを備え、前記止水フィルムが、粘着性材料層と前記立面に対向する疎水性材料層とからなり、前記支持材の長手方向に直交する断面が、前記立面に平行する平坦部と、該平坦部の中央にて該立面と反対方向に延びる突起部とからなる略Ｔ字状を呈し、略コ字形状を有する係止部材が前記支持材の突起部に嵌合され、前記止水フィルムが、前記係止部材によって前記支持材に押し付けられることを特徴としている。
【００１１】
また、前記粘着性材料が非加硫ブチルゴムであり、前記疎水性材料がポリプロピレンであることが好ましい。
【００１２】
また、前記止水フィルムの少なくとも一端が、前記粘着性材料層が前記疎水性材料層の両面を覆うように折り返されてなることが好ましい。
【００１３】
また、前記止水フィルムが、前記支持材に沿って延びる長尺部材を介して前記支持材に押し付けられることが好ましい。
【００１４】
また、前記突起部の前記係止部材と当接する面が波状に形成されてなることが好ましい。
【００１５】
また、前記突起部と前記係止部材との嵌合部が波状に形成されてなることが好ましい。
【００１６】
また、前記地中連続壁の底部に形成された底盤の上面に、一方の開口部が前記地中連続壁側に設けられ、他方の開口部が前記立面から離れて立設された型枠の該立面との対向面の反対側に設けられた水抜きパイプをさらに備えることが好ましい。
【考案の効果】
【００１７】
本考案の地中連続壁の防水構造は、型枠を高く立設することができる施工効率に優れた構造であり、止水フィルムは係止部材によって支持材に押し付けられ、地中連続壁の立面全体に被覆されるため、接着剤を使用することなく充分な防水機能を有する。また、止水フィルムは疎水性材料層が水の通過を阻止し、粘着性材料層がその後に打設されるコンクリートとの密着性に優れるため、防水性に優れる。さらに、止水フィルムと支持材とが重なり、両者の間から水が漏れにくい。
【００１８】
また、接着剤を使用することなく係止部材によって止水フィルムを地中連続壁の立面に被覆するため、立面からの水の染み出しを簡単かつ迅速に防ぐことができ、作業性に優れる。
【図面の簡単な説明】
【００１９】
【図１】本考案の実施の形態による地中連続壁の防水構造の概略斜視図である。
【図２】前記地中連続壁の防水構造の断面図である。
【図３】図２における止水フィルムの部分拡大図である。
【図４】図２における支持材の拡大図である。
【図５】地中連続壁を用いた地下構造物の構築方法を説明するための模式断面図であって、（ａ）は掘削された穴に形成された地中連続壁に芯材を差し込んだ状態を示した図であり、（ｂ）は露出した地中連続壁の立面にシートを取り付けた状態を示した図であり、（ｃ）は地中連続壁の立面に防水構造が形成された状態を示した図であって、コンクリートを打設する前の状態を示した図である。
【図６】従来の地中連続壁の防水工法を説明するための模式断面図であって、（ａ）は露出した地中連続壁の立面に支持材およびシートを取り付けた状態を示した図であり、（ｂ）は地中連続壁の立面に防水構造が形成された状態を示した図であって、コンクリートを打設する前の状態を示した図である。
【図７】従来の地中連続壁の防水構造を示した断面図である。
【考案を実施するための形態】
【００２０】
本考案の実施の形態にかかわる地中連続壁の防水構造について、添付図面に沿って以下詳細に説明する。
【００２１】
図１は本考案の実施の形態による地中連続壁の防水構造の概略斜視図であり、図２は地中連続壁の防水構造の断面図である。
【００２２】
これらの図に示されるように、防水構造１０は、矩形状のコンクリート打設部（穴）の四方を囲む側面を構成する地中連続壁１の立面２に形成される。立面２は予め構築した地中連続壁１を掘削して形成したものであり、立面２には地中連続壁１に埋設した上下に延びる複数の長尺の芯材３が互いに離間して平行に配設されており、それらの一側面が立面２に露出している。芯材３の形状は特に限定されないが、一般的にＨ型鋼材が用いられる。
【００２３】
立面２には、立面２に沿うように水平方向に延びる長尺の支持材１５ａ、１５ｂが平行に配設されている。支持材１５ａ、１５ｂの間隔は特に限定されるものではないが、セパレータ３２ａ、３２ｂを介して型枠３１を支持する観点から、５０〜６０ｃｍが好ましい。支持材１５ａ、１５ｂは長手方向に直交する断面が略Ｔ字状を呈し、溶接によって芯材３に固定されている。また、支持材１５ａ、１５ｂには立面２の反対方向に延びるセパレータ３２ａ、３２ｂの一方の端部が溶接によって固定されている。支持材１５ａ、１５ｂの詳細については後述する。
【００２４】
支持材１５ａ、１５ｂによって仕切られた立面２は、全面が止水フィルム１６ａ、１６ｂ、１６ｃに覆われている。最も下方に設けられた止水フィルム１６ａの下端は矩形状のコンクリート打設部（穴）の底面にまで延びている。粘着テープ（図示せず）などでこの部分を底面に固定し、その後に底盤３０を打設すれば、地中連続壁１から染み出した水が底盤３０に浸入しにくくなる。止水フィルム１６ａの上端は支持材１５ａにまで延び、支持材１５ａと重なっている。これによって、止水フィルム１６ａと支持材１５ａとの間から水漏れしにくい。
【００２５】
支持材１５ａ、１５ｂに挟まれた立面２には、図２に示されるように止水フィルム１６ｂが、支持材１５ａの上側から上方に延び、立面２を覆って、さらに支持材１５ｂの下側に延びている。すなわち止水フィルム１６ｂの上下端はそれぞれ支持材１５ｂ、１５ａと重なっている。また、最も上方に設けられた止水フィルム１６ｃは、支持材１５ｂの上側から上方に延び、立面２を覆って、立面２の上端で終了する。これによって、立面２は止水フィルム１６ａ、１６ｂ、１６ｃによってその全面が覆われ、かつ止水フィルム１６ａ、１６ｂ、１６ｃと支持材１５ａ、１５ｂとが重なっているため、両者の隙間から水漏れしにくい。
【００２６】
また支持材１５ａ、１５ｂには、止水フィルム１６ａ、１６ｂ、１６ｃを支持材１５ａ、１５ｂに固定するための係止部材２０ａ、２０ｂが嵌合され、止水フィルム１６ａ、１６ｂ、１６ｃは、支持材１５ａ、１５ｂに沿って延びる長尺部材１７ａ、１７ｂ、１７ｃ、１７ｄを介して係止部材２０ａ、２０ｂによって支持材１５ａ、１５ｂに押し付けられている。この係止部材２０ａ、２０ｂおよび長尺部材１７ａ、１７ｂ、１７ｃ、１７ｄについては後述する。なお、止水フィルム１６ａ、１６ｂ、１６ｃが係止部材２０ａ、２０ｂによって取り付けられた後、矩形状のコンクリート打設部（穴）の底面には、耐圧盤となる底盤３０が打設され、そのうえに立面２から一定間隔離れた位置に型枠３１が立設される。
【００２７】
図３は図２における止水フィルムの部分拡大図である。
【００２８】
図３に示されるように、止水フィルム１６ａは非加硫ブチルゴムからなる粘着性材料層４０と、ポリプロピレンからなる疎水性材料層４１とからなる２層構造である。疎水性材料層４０は立面２からの水の通過を阻止するためのものであり、立面２に対向している。しかし、ポリプロピレンはそれ自体では立面２に密着しないため、両者の間には隙間４２が存在する。この隙間４２を通って、立面２から染み出した水は下方に流れる。
【００２９】
粘着性材料層４０は、その後に打設されるコンクリートに接し、コンクリートに密着する。これによって、コンクリート内部への水の浸入を防止する。粘着性材料層４０は、コンクリートとの密着性に優れる非加硫ブチルゴムを用いることが特に好ましい。止水フィルム１６ｂ、１６ｃについても、止水フィルム１６ａと同じ構成であるため、説明は繰り返さない。
【００３０】
図４は図２における支持材の拡大図である。
【００３１】
図４に示されるように、長尺の支持材１５ａは長手方向に直交する断面が、立面２に平行する平坦部４５と、平坦部４５の中央で立面２の反対方向かつ水平方向に延びる突起部４６とからなるＴ字形状である。支持材１５ａは平坦部４５側が溶接によって芯材３に固定されている。これによって、支持材１５ａの長手方向の両側は立面２に対して平坦になり、止水フィルム１６ａ、１６ｂは立面２から支持材１５ａの平坦部４５に容易に乗り上がることができる。また突起部４６には、矩形状のコンクリート打設部（穴）内に立設される型枠３１を支持し、立面２と型枠３１とを一定間隔に保つセパレータ（図示せず）が固定される。
【００３２】
下方の立面２から平坦部４５に乗り上がった止水フィルム１６ａは、上端において粘着性材料層４０が疎水性材料層４１の両面を覆うように折り返されている。これによって、粘着性材料層４０の粘着力により止水フィルム１６ａは支持材１５ａに密着し、剥がれない。また、止水フィルム１６ａは上端で折り返されているため厚さが増し、後述する長尺部材１７ａとの密着性が高まり、さらに水漏れしにくい。
【００３３】
一方、支持材１５ａの上側の平坦部４５では、止水フィルム１６ｂの下端において、粘着性材料層４０が疎水性材料層４１の両面を覆うように折り返され、突起部４６に当接する位置から上方に延び、立面２へと続いている。このように、止水フィルム１６ａ、１６ｂは支持材１５ａの平坦部４５と重なり、かつ密着しているため、両者の間から水漏れしにくい。
【００３４】
支持材１５ａの突起部４６には、コ字形状を有する係止部材２０ａが、止水フィルム１６ａ、１６ｂを支持材１５ａに押し付けるために嵌合されている。係止部材２０ａの材質は特に限定されないが、製造が容易な合成樹脂製または金属製であることが好ましい。
【００３５】
係止部材２０ａは、直接止水フィルム１６ａ、１６ｂを押し付けるものであっても良いが、支持材１５ａに沿って延びる長尺部材１７ａ、１７ｂを介して止水フィルム１６ａ、１６ｂを押圧することが好ましい。長尺部材１７ａ、１７ｂの介在によって、止水フィルム１６ａ、１６ｂの端部全体を支持材１５ａに押圧できるため、両者の密着性が高められる。長尺部材１７ａ、１７ｂの形状は長尺であれば良く、材質も特に限定されないが、本実施の形態では断面が矩形状の木材を使用している。また、止水フィルム１６ａ、１６ｂは係止部剤２０ａに対して移動可能な状態で固定されている。これによって、コンクリートの打設などで止水フィルム１６ａ、１６ｂが引張られた場合であっても、止水フィルム１６ａ、１６ｂは破れない。
【００３６】
係止部材２０ａは、コ字形状の端部が上方または下方に延びるように形成されていることが、止水フィルム１６ａの固定をより強固にし、止水フィルム１６ａの剥がれを防止することができる点で好ましい。本実施の形態では、コ字形状の下端は、図４に示されるように長尺部材１７ａを把持するため、くの字に形成されている。くの字状の把持部分は、両隣の、または上下の係止部材（図示せず）がそれぞれ交互に逆向きになるように形成されていることが好ましい。つまり、係止部材２０ａでは下方に形成された把持部分が、両隣および上の係止部材（図示せず）では上方に形成されることになる。これによって、上下両方の長尺部材１７ａ、１７ｂが均等に支持材１５ａに押し付けられる。
【００３７】
支持材１５ａの突起部４６の形状は特に限定されないが、支持材１５ａと係止部材２０ａとの嵌合部分を波状に形成することによって両者を強固に嵌合することが好ましく、突起部４６と係止部材２０ａの両方の嵌合部が波状に形成されていることがより好ましい。また、両者の嵌合部分の固定を強固にするため、その部分に接着剤を塗布しても良い。このように構成することによって、止水フィルム１６ａ、１６ｂの端部は係止部材２０ａによって押し付けられ、止水フィルム１６ａ、１６ｂは支持材１５ａに取り付けられる。なお、他の支持材１５ｂ、止水フィルム１６ｃ、長尺部材１７ｃ、１７ｄについても、上記の支持材１５ａ、止水フィルム１６ａ、１６ｂ、長尺部材１７ａ、１７ｂとそれぞれ同じ形状および機能を有するものであるため、説明は繰り返さない。
【００３８】
再び図２に戻って、底盤３０の上面には、一方の開口部が止水フィルム１６ａよりも地中連続壁１側に設けられ、他方の開口部が型枠３１の立面２との対向面の反対側に設けられた水抜きパイプ３５が配置されている。これによって、立面２と型枠３１との間にコンクリートが打設された後においても、立面２から染み出した水は水抜きパイプ３５から優先的に排出されるので、立面２から染み出した水が行き場を失ってコンクリートに浸入することが防止される。この水抜きパイプ３５は最終的には封止される。なお、水抜きパイプ３５は塩化ビニル管を使用しているが、これに限定されるものではない。
【００３９】
このように、本実施の形態の地中連続壁の防水構造は、型枠を高く立設することができる施工効率に優れた構造であり、接着剤を使用することなく、地中連続壁から染み出した水を封止し、コンクリートへの水の浸入を防ぐことができる。
【００４０】
次に、地中連続壁の防水方法について説明する。
【００４１】
地中連続壁の防水方法は、（１）地面に形成されたコンクリート打設部（穴）の一側面が地中連続壁の立面となり、立面には、互いに離間し、かつ上下に延びる複数の長尺の芯材が現れている地中連続壁において、立面に沿って水平方向に延びる少なくとも１つの長尺の支持材を立面に配設する工程と、（２）支持材によって仕切られた立面を覆い、さらに支持材と重なるように、少なくとも２枚以上の止水フィルムを被覆する工程と、（３）係止部材を支持材に固定し、係止部材によって止水フィルムを支持材に押し付ける工程とからなる。
【００４２】
図２に示されるように、予め構築された地中連続壁１を掘削することにより、平行に、かつ上下に延びる長尺の芯材３の一側面が現れた立面２を形成する。この立面２に、立面２に沿うように水平方向に平行に延びる長尺の支持材１５ａ、１５ｂを配設する。長尺の支持材１５ａ、１５ｂは長手方向に直交する断面が、立面２に平行する平坦部４５と、平坦部４５の中央で立面２と反対方向に延びる突起部４６とからなるＴ字形状である。支持材１５ａ、１５ｂは平坦部４５側で芯材３に固定する。
【００４３】
図３に示されるように、止水フィルム１６ａ、１６ｂ、１６ｃは非加硫ブチルゴムからなる粘着性材料層４０と、立面２に対向するポリプロピレンからなる疎水性材料層４１とからなる２層構造である。止水フィルム１６ａ、１６ｂ、１６ｃは支持材１５ａ、１５ｂによって仕切られた立面２の各々の全面を被覆する。
【００４４】
まず、最も下方に設けられる止水フィルム１６ａの下端を矩形状のコンクリート打設部（穴）の底面に敷き、必要に応じて粘着テープ（図示せず）などで固定する。そこから、止水フィルム１６ａは立面２に向かって延び、立面２に当接すると立面２に沿って上方に延びて立面２を被覆する。止水フィルム１６ａはさらに上方に延びて支持材１５ａの平坦部４５の下側に乗り上がり、支持材１５ａの突起部４６に達して終了する。止水フィルム１６ａの上端では、粘着性材料層４０が折り返されて疎水性材料層４１の両面を覆う。
【００４５】
立面２に止水フィルム１６ａを被覆すると、支持材１５ａの突起部４６に、断面がコ字形状を有する係止部材２０ａを嵌合する。この係止部材２０ａによって、止水フィルム１６ａは支持材１５ａに押し付けられる。これによって、接着剤を使用することなく止水フィルム１６ａは支持材１５ａに固定される。止水フィルム１６ａは、支持材１５ａに沿って延びる長尺部材１７ａ、１７ｂを介して係止部材２０ａによって取り付けられることが、止水フィルム１６ａと支持材１５ａとの密着性を高める点で好ましい。その場合、係止部材２０ａはコ字形状の一端が長尺部材１７ａを把持するためにくの字に形成されていることが好ましく、くの字状の把持部分は、両隣の、または上下の係止部材（図示せず）がそれぞれ交互に逆向きになるように形成されていることがより好ましい。
【００４６】
止水フィルム１６ｂ、１６ｃは、その下端にて粘着性材料層４０が疎水性材料層４１の両面を覆うように折り返され、それぞれ支持材１５ａ、１５ｂの平坦部４５の上側から被覆を開始する。それ以外は基本的に止水フィルム１６ａと同様なので、説明は繰り返さない。
【００４７】
この後、矩形状のコンクリート打設部（穴）の底面に耐圧盤となる底盤３０を打設し、そのうえに立面２から一定間隔離れた位置に型枠３１を立設する。底盤３０の上面には、一方の開口部が止水フィルム１６ａよりも地中連続壁１側に設けられ、他方の開口部が型枠３１の立面との対向面の反対側に設けられた水抜きパイプ３５をさらに配置することが好ましい。これによって、立面２と型枠３１との間にコンクリートが打設された後においても、立面２から染み出した水を水抜きパイプ３５から優先的に排出することができる。
【００４８】
以上説明したように、上記防水方法は、型枠を高く立設することができる施工効率に優れた工法であり、接着剤を使用することなく係止部材によって止水フィルムが地中連続壁の立面を覆うように固定することができるため、立面からの水の染み出しを簡単かつ迅速に防ぐことができ、作業性に優れる。
【符号の説明】
【００４９】
Ｇ  地面
１  地中連続壁
２  立面
３  芯材
１０  防水構造
１５ａ、１５ｂ  支持材
１６ａ、１６ｂ、１６ｃ  止水フィルム
１７ａ、１７ｂ、１７ｃ、１７ｄ  長尺部材
２０ａ、２０ｂ  係止部材
３０  底盤
３１  型枠
３２ａ、３２ｂ  セパレータ
３５  水抜きパイプ
４０  粘着性材料層
４１  疎水性材料層
４２  隙間
４５  平坦部
４６  突起部
１００  地中連続壁
１０１  芯材
１０２  コンクリート打設部（穴）
１０３  防水構造
１０５ａ、１０５ｂ  支持材
１０６、１０６ａ、１０６ｂ、１０６ｃ  防水シート
１１０  底盤
１１１  型枠
１１２ａ、１１２ｂ  セパレータ
１１５ａ、１１５ｂ  支持部材
１２０  立面
１３０  接着剤
【図１】
0003153580.tif 000003
【図２】
0003153580.tif 000004
【図３】
0003153580.tif 000005
【図４】
0003153580.tif 000006
【図５】
0003153580.tif 000007
【図６】
0003153580.tif 000008
【図７】
0003153580.tif 000009